【手続補正書】
【提出日】平成29年5月16日(2017.5.16)
【手続補正１】
【補正対象書類名】特許請求の範囲
【補正対象項目名】全文
【補正方法】変更
【補正の内容】
【特許請求の範囲】
【請求項１】
携帯用コンピューティングデバイス(PCD)における知的マルチメディアベースの熱出力管理のための方法であって、
電力消費と関連した前記PCD内の状態を監視するステップと、
前記状態を、前記状態と関連した規定のしきい値と比較するステップと、
前記状態の前記規定のしきい値との前記比較に基づいて、電力消費への調整を決定するステップと、
複数の視覚的マルチメディアパラメータのアクティブな設定を示すデータを受け取るステップであって、各視覚的マルチメディアパラメータの前記設定は、前記PCD内の全体的なマルチメディア作業負荷に寄与するステップと、
前記視覚的マルチメディアパラメータの各々に対する性能グラフを照会するとともに、各視覚的マルチメディアパラメータの前記アクティブな設定データを、そのそれぞれの曲線に対応付けるステップであって、前記アクティブな設定データは、勾配を有する接線を定義するステップと、
各視覚的マルチメディアパラメータと関連した接線勾配を比較するステップと、
接線勾配の前記比較に基づいて、第1の視覚的マルチメディアパラメータを選択するステップと、
前記第1の視覚的マルチメディアパラメータの前記アクティブな設定を調整するステップであって、前記アクティブな設定を調整するステップは、前記PCD内の電力消費が調整されるように、前記全体的なマルチメディア作業負荷を修正するステップと
を備える方法。
【請求項２】
電力消費への調整を決定するステップは、電力消費の低減を決定することを備え、
接線勾配の前記比較に基づいて第1の視覚的マルチメディアパラメータを選択するステップは、前記アクティブな設定の調整が、単位となる電力消費の低減あたりのユーザエクスペリエンスへの有害な影響を最小にするべき、前記視覚的マルチメディアパラメータを選択することを備え、
前記全体的なマルチメディア作業負荷を修正するステップは、前記PCD内の前記電力消費が低減するように、前記全体的なマルチメディア作業負荷を低減させることを備える、
請求項1に記載の方法。
【請求項３】
前記PCD内の電力消費のさらなる低減が正当であるとされることを決定するステップと、
接線勾配の前記比較に基づいて、第2の視覚的マルチメディアパラメータを選択するステップと、
前記第2の視覚的マルチメディアパラメータの前記アクティブな設定を調整するステップであって、前記アクティブな設定を調整するステップは、前記PCD内の電力消費がさらに低減するように、前記全体的なマルチメディア作業負荷を修正するステップと
をさらに備える、請求項2に記載の方法。
【請求項４】
電力消費への調整を決定するステップは、電力消費の増大を決定するステップを備え、
接線勾配の前記比較に基づいて第1の視覚的マルチメディアパラメータを選択するステップは、前記アクティブな設定の調整が、単位となる電力消費の増大あたりのユーザエクスペリエンスへの肯定的な影響を最大にするべき、前記視覚的マルチメディアパラメータを選択することを備え、
前記全体的なマルチメディア作業負荷を修正するステップは、前記PCD内の電力消費が増大するように、前記全体的なマルチメディア作業負荷を増大させることを備える、
請求項1に記載の方法。
【請求項５】
前記PCD内の電力消費のさらなる増大が受容可能であることを決定するステップと、
接線勾配の前記比較に基づいて、第2の視覚的マルチメディアパラメータを選択するステップと、
前記第2の視覚的マルチメディアパラメータの前記アクティブな設定を調整するステップであって、前記アクティブな設定を調整するステップは、前記PCD内の電力消費がさらに増大するように、前記全体的なマルチメディア作業負荷を修正するステップと
をさらに備える、請求項4に記載の方法。
【請求項６】
前記第1の視覚的マルチメディアパラメータは、フレームの1秒あたりの処理レートと関連する、請求項1に記載の方法。
【請求項７】
前記第1の視覚的マルチメディアパラメータは、色深度設定、画像動力学のアルゴリズム選択、表示輝度設定、または解像度スケーリング比と関連する、請求項1に記載の方法。
【請求項８】
携帯用コンピューティングデバイスにおける知的マルチメディアベースの熱出力管理のためのコンピュータシステムであって、
電力消費と関連したPCD内の状態を監視するための手段と、
前記状態を、前記状態と関連した規定のしきい値と比較するための手段と、
前記状態の前記規定のしきい値との前記比較に基づいて、電力消費への調整を決定するための手段と、
複数の視覚的マルチメディアパラメータのアクティブな設定を示すデータを受け取るための手段であって、各視覚的マルチメディアパラメータの前記設定は、前記PCD内の全体的なマルチメディア作業負荷に寄与する手段と、
前記視覚的マルチメディアパラメータの各々に対する性能グラフを照会するとともに、各視覚的マルチメディアパラメータの前記アクティブな設定データを、そのそれぞれの曲線に対応付けるための手段であって、前記アクティブな設定データは、勾配を有する接線を定義する手段と、
各視覚的マルチメディアパラメータと関連した接線勾配を比較するための手段と、
接線勾配の前記比較に基づいて、第1の視覚的マルチメディアパラメータを選択するための手段と、
前記第1の視覚的マルチメディアパラメータの前記アクティブな設定を調整するための手段であって、前記アクティブな設定を調整することは、前記PCD内の電力消費が調整されるように、前記全体的なマルチメディア作業負荷を修正する手段と
を備えるコンピュータシステム。
【請求項９】
電力消費への調整を決定するための手段は、電力消費の低減を決定するための手段を備え、
接線勾配の前記比較に基づいて第1の視覚的マルチメディアパラメータを選択するための手段は、前記アクティブな設定の調整が、単位となる電力消費の低減あたりのユーザエクスペリエンスへの有害な影響を最小にするべき、前記視覚的マルチメディアパラメータを選択するための手段を備え、
前記全体的なマルチメディア作業負荷を修正するための手段は、前記PCD内の前記電力消費が低減するように、前記全体的なマルチメディア作業負荷を低減させるための手段を備える、
請求項8に記載のコンピュータシステム。
【請求項１０】
前記PCD内の電力消費のさらなる低減が正当であるとされることを決定するための手段と、
接線勾配の前記比較に基づいて、第2の視覚的マルチメディアパラメータを選択するための手段と、
前記第2の視覚的マルチメディアパラメータの前記アクティブな設定を調整するための手段であって、前記アクティブな設定を調整することは、前記PCD内の電力消費がさらに低減するように、前記全体的なマルチメディア作業負荷を修正する手段と
をさらに備える、請求項9に記載のコンピュータシステム。
【請求項１１】
電力消費への調整を決定するための手段は、電力消費の増大を決定するための手段を備え、
接線勾配の前記比較に基づいて第1の視覚的マルチメディアパラメータを選択するための手段は、前記アクティブな設定の調整が、単位となる電力消費の増大あたりのユーザエクスペリエンスへの肯定的な影響を最大にするべき、前記視覚的マルチメディアパラメータを選択するための手段を備え、
前記全体的なマルチメディア作業負荷を修正するための手段は、前記PCD内の電力消費が増大するように、前記全体的なマルチメディア作業負荷を増大させるための手段を備える、
請求項8に記載のコンピュータシステム。
【請求項１２】
前記PCD内の電力消費のさらなる増大が受容可能であることを決定するための手段と、
接線勾配の前記比較に基づいて、第2の視覚的マルチメディアパラメータを選択するための手段と、
前記第2の視覚的マルチメディアパラメータの前記アクティブな設定を調整するための手段であって、前記アクティブな設定を調整することは、前記PCD内の電力消費がさらに増大するように、前記全体的なマルチメディア作業負荷を修正するための手段と
をさらに備える、請求項11に記載のコンピュータシステム。
【請求項１３】
前記第1の視覚的マルチメディアパラメータは、フレームの1秒あたりの処理レートと関連する、請求項8に記載のコンピュータシステム。
【請求項１４】
前記第1の視覚的マルチメディアパラメータは、色深度設定、画像動力学のアルゴリズム選択、表示輝度設定、または解像度スケーリング比と関連する、請求項8に記載のコンピュータシステム。
【請求項１５】
コンピュータ上での実行時に、請求項１〜７のいずれか一項に記載の方法を実行するための命令を備えるコンピュータプログラム。